(57)【要約】【課題】レンズ体の移動をスムースに行なうことができる照明装置を提供する。【解決手段】光源を有する光源ユニット４からの光を受光する光源側レンズ体２８とその光軸方向で対向配置されたレンズ体２７とをそれぞれ支持し、光軸方向に移動可能のレンズ体支持部２３，２４と；互いに交差させた２本のリンク体３４，３５を有しており、このリンク体の各端部を各レンズ体支持部に対して摺動可能に連結してレンズ体支持部同士を互いに離間近接する方向に連動するように移動させるリンク機構２５と；これらレンズ体支持部を光軸方向に往復動可能に案内するガイド２６と；このガイド、前記リンク機構およびレンズ体支持部を収容する投影ユニットケース１７と；レンズ体支持部の一方２３に連動可能に連結されてこのレンズ体支持部を光軸方向に移動させ、その移動位置を保持可能に構成してなるつまみ４４と；を具備している。【選択図】  図１
2010287551.tif 000002
【特許請求の範囲】
【請求項１】
光源を有する光源部からの光を受光する光源側レンズ体とその光軸方向で対向配置された投光側レンズ体とをそれぞれ支持し、光軸方向に移動可能のレンズ体支持部と；
互いに交差させた２本のリンク体を有しており、このリンク体の各端部を各レンズ体支持部に対して摺動可能に連結してレンズ体支持部同士を互いに離間近接する方向に連動するように移動させるリンク機構と；
これらレンズ体支持部を光軸方向に往復動可能に案内するガイドと；
このガイド、前記リンク機構およびレンズ体支持部を収容するケースと；
レンズ体支持部の一方に連動可能に連結されてこのレンズ体支持部を光軸方向に移動させ、その移動位置を保持可能に構成してなる操作部と；
を具備していることを特徴とする照明装置。
【請求項２】
前記リンク機構は、前記光軸に対し直交方向に沿う前記一対のレンズ体支持部の幅方向両端部にそれぞれ配設された摺動部を有しており、前記リンク体には、
前記摺動部に摺動可能に係合し、一対のレンズ体支持部同士の複数の所望の対向間隔にそれぞれ対応した変曲点を有するガイド溝が形成されていることを特徴とする請求項１記載の照明装置。
【請求項３】
前記ケースは、前記光源部のケースとは別体により構成され、この光源部ケースと連結可能に構成されていることを特徴とする請求項１または２記載の照明装置。
【発明の詳細な説明】
【技術分野】
【０００１】
本発明は、例えば演出効果を得るために舞台やスタジオなどの高所に配設されるスポット照明装置等の照明装置に関する。
【背景技術】
【０００２】
従来、この種の照明装置の一例としては、光源と反射鏡を搭載した移動可能なスライド台を、操作レバーの手動操作により移動させることにより、光源のレンズに対する光軸方向の距離を調整するスポット照明器具が知られている（例えば、特許文献１参照）。
【先行技術文献】
【特許文献】
【０００３】
【特許文献１】特開２００６−１２５９８号公報
【発明の概要】
【発明が解決しようとする課題】
【０００４】
しかしながら、この特許文献１記載のスポット照明器具では、スライド台の摺動に抵抗負荷を与えることにより、スライド台の移動位置の保持を図っているので、このスライド台に搭載されたレンズの移動がスムースでなく、操作レバーの手動操作が重くなるという課題がある。
【０００５】
すなわち、このスポット照明器具は、本体ハウジング内に並設された２本の平行なガイド棒と、これらガイド棒が摺動可能に貫通するスライド台と、このスライド台を移動させる操作レバーとを有し、一方のガイド棒には、螺旋状の溝を設け、前記スライド台には、前記螺旋状の溝に係合する突起を設け、前螺旋状の溝の角度を、前記スライド台の光軸方向移動に抵抗負荷を与えて、スライド台を操作レバー操作により設定した位置に保持可能なように構成している。このため、操作レバーの操作に伴う応力がレンズから２本のガイドに均等に伝わりにくく、スライド台に搭載されているレンズのスムースな移動が困難となる場合がある。
【０００６】
本発明は、このような事情を考慮してなされたもので、レンズ体の移動をスムースに行なうことができる照明装置を提供することを目的とする。
【課題を解決するための手段】
【０００７】
請求項１に係る照明装置は、光源を有する光源部からの光を受光する光源側レンズ体とその光軸方向で対向配置された投光側レンズ体とをそれぞれ支持し、光軸方向に移動可能に配置されたレンズ体支持部と；互いに交差させた２本のリンクを有しており、このリンク体の各端部を摺動可能に連結してレンズ体支持部同士を互いに離間、近接する方向に連動するように移動させるリンク機構と；これらレンズ体支持部を光軸方向に往復動可能各レンズ体支持部に対して案内するガイドと；このガイド、前記リンク機構およびレンズ体支持部を収容するケースと；レンズ体支持部の一方に連動可能に連結されてこのレンズ体支持部を光軸方向に移動させ、その移動位置を保持可能に構成してなる操作部と；を具備していることを特徴とする。
【０００８】
各レンズ体支持部により支持される光源側と投光側のレンズ体は単数でも複数でもよい。レンズ体は光源の放射状の一部または全部を屈折させて光学的に制御を行う光学部材であり、光源からの距離に応じて制御が変更されるものであればよい。例えば、凹レンズ体、凸レンズ体、フレネルレンズ体等が挙げられるが、これらに限定されない。また、一対のレンズ体は互いに対向配置されるものであるが、これはレンズ体の形状が互いに対向していることを意味するものではなく、レンズ体の配置関係が対向していることを意味するものである。光源はハロゲンランプやＬＥＤ（発光ダイオード）等でもよく、光源には限定されない。操作部は、ケースにレンズ体支持部の移動方向に形成されたスリットから外部に延在する軸部の外端部に、スリットよりも大径のつまみをねじ結合し、このつまみを締め付けることにより、このつまみをスリットの側縁部に締め付けて保持させることにより、移動位置を保持させるように構成してもよい。
【０００９】
請求項２に係る照明装置は、前記リンク機構は、前記光軸に対し直交方向に沿う前記一対のレンズ体支持部の幅方向両端部にそれぞれ配設された摺動部を有しており、前記リンク体には、前記摺動部に摺動可能に係合し、一対のレンズ体支持部同士の複数の所望の対向間隔にそれぞれ対応した変曲点を有するガイド溝が形成されていることを特徴とする。
【００１０】
各リンクは、相互に交差する交差部近傍にて、ピン等によりケースに回動可能にそれぞれ軸支して支点を形成し、この支点用のピンを中心に各リンクが回動（揺動）することにより伸縮し、レンズ体支持部同士の対向間隔が調節される。
【００１１】
各リンクのガイド溝は、レンズ体同士の所要の対向間隔において、例えば所望の配光特性が得られる複数の位置を予め連続的に形成している。
【００１２】
請求項３に係る照明装置は、前記ケースは、前記光源部のケースとは別体により構成され、この光源部ケースと連結可能に構成されていることを特徴とする。
【００１３】
ケースは光源部からの光を受光する受光部と、この受光部で受光した光を外部に投光する投光部とを有し、投光部は単なる投光用の開口でもよく、この投光用開口に、透光性を有する前面カバーを配設してもよい。
【００１４】
また、このケースと光源部ケースとの間に、投光の形等を制御する制光用のカッターを挿脱可能に挿入させる挿入部を設けてもよい。
【発明の効果】
【００１５】
請求項１に係る照明装置によれば、光軸方向で対向配置された光源側と投光側の一対のレンズ体をそれぞれ支持するレンズ体支持部の対向間隔を、操作部の光軸方向の移動操作によりリンク機構を伸縮させて調節するので、レンズ体をスムースに移動させることができる。
【００１６】
また、操作部を光軸方向に単に移動させることにより、リンク機構を伸縮させて光源側と投光側の一対のレンズ体の対向間隔を調節できるので、この操作部の操作力を軽減することができる。
【００１７】
請求項２に係る照明装置によれば、操作部により調節される位置を、所望の配光特性がそれぞれ得られる位置に設定することにより、一対のレンズ体の対向間隔を、常に所望の配光特性を得ることができる位置に調節することができる。
【００１８】
請求項３に係る照明装置によれば、ケースを光源部のケースとは別体に構成しているので、このケースを、光源部からの光を外部に投光する例えば投影部として光源部とは独立に構成することができる。このために、投影部の小型軽量化を図ることができる。
【図面の簡単な説明】
【００１９】
【図１】本発明の一実施形態に係る照明装置の内部構成を示す図。
【図２】図１により示す照明装置の横方向投光状態の正面図。
【図３】図２により示す照明装置の外観側面図。
【図４】同，照明装置の下方向投光状態の底面図。
【図５】図１で示す投影ユニットのリンク機構伸長時の平面図。
【図６】同，投影ユニットのリンク機構収縮時の平面図。
【発明を実施するための形態】
【００２０】
以下、本発明の実施形態を添付図面に基づいて説明する。これら複数の添付図面中、同一または相当部分には同一符号を付している。
【００２１】
図１は本発明の第１の実施形態に係る照明装置の内部構成を示す図、図２は図１により示す照明装置の横方向投光状態の正面図、図３は同，照明装置の側面図、図４は同，照明装置の下方向投光状態の底面図である。これらの図に示すように照明装置１は、照明器具２と、この照明器具２の左右両側面を回動可能、かつその回動角を保持可能に挟持するコ字状のアーム３と、を具備している。
【００２２】
照明器具２は、光源ユニット４と、この光源ユニット４に所要の間隙を置いて同軸状に連結された投影ユニット５を有する。図１に示すように光源ユニット４は、例えば８角筒等角筒状の光源ユニットケース４ａ内に、主に光源部の一例である面状光源６、ヒートシンクからなる放熱器７、電源ユニット８、点灯回路ユニット９をそれぞれ収容している。
【００２３】
面状光源６は、光源ユニット４の投影ユニット５側の一端部（図１では左端部）側に配設されている。面状光源６は、平板状の電気絶縁基板に、鋼箔により配線をプリントしてなるプリント基板１０に、白色や青色、赤色等複数色または単色のＬＥＤ（発光ダイオード）１１を複数個実装している。
【００２４】
そして、このプリント基板１０の前面（図１では左側面）には、面状多孔リフレクタ１２を装着しており、この面状多孔リフレクタ１２により、ＬＥＤ１１からの光を前方（図１では左側方）に投光する投光部を構成している。
【００２５】
そして、面状光源６は、その背面に、放熱器７のベースの前面を直接的に取り付け、面状光源６での発熱を放熱器７の放熱フィン７ａから放熱される。光源ユニットケース４ａは、放熱フィン７ａと対向する側面の一部を切り欠いて矩形等の複数の開口部４ｂを形成し、これら開口部４ｂ，４ｂには、通気性に優れた金属メッシュ等の多孔板４ｃをそれぞれ張設し、外気通風可能に構成している。また、面状多孔リフレクタ１２に近接して筒状光路１３が設けられており、この筒状光路１３は、面状多孔リフレクタ１２により配光特性が制御されたＬＥＤ１１の光を投影ユニット５内に導光する。筒状光路１３は、その内部を反射面に形成し、筒状光路１３の内部には、面状多孔リフレクタ１２で配光制御された面状光源６からの光を拡散させる拡散フィルタ１４が設けられている。
【００２６】
そして、筒状光路１３と投影ユニット５との間の間隙であって筒状光路１３の開口端部近傍には、カッター部１５が設けられる。このため、カッター部１５には面状光源１６から出射された光のほとんどが到達することになり、光漏れや光損失が抑制される効率が向上する。
【００２７】
このカッター部１５は、筒状光路１３から出射される光を円形や矩形等所要の形状に制御するものであり、カッター部１５で光の形状が制御された光は、投影ユニット５の拡散シート１６に出射される。拡散シート１６は例えば８角筒等角筒状のケースの一例である投影ユニットケース１７の図１中右端の後板１７ａの受光窓１７ｂの内側に配設される。カッター部１５は、図３では図示の都合上、省略している。拡散シート１６はカッター部１５でカットした光の形状のエッジ部分をぼかすために設けられている。光の形状のエッジ部分を鮮明にする場合には拡散シート１６を設ける必要はない。
【００２８】
また、光源ユニット４は、投影ユニットケース１７の後板１７ａに複数の支持棒１８，１８，…により着脱可能に取り付けられる。支持棒１８は投影ユニットケース１７の後板１７ａに差し込み式にて着脱可能に取り付けられる。
【００２９】
そして、図２〜図４に示すようにアーム３は、例えば円管をコ字状に折曲して形成され、その一対のコ字状開口端部３ａ，３ｂを、光源ユニットケース４ａの前端部、すなわち、投影ユニット５側の一端部の左右両側面４ｅ，４ｆに、左右一対のピン１９，２０により、これらピン１９，２０の中心軸回りに回動可能に取り付けている。
【００３０】
そして、これらピン１９，２０の一方、例えば１９は、その外周に、アーム３の一方の開口端部３ａと光源ユニットケース４ａの一側面４ｅとの間隙において、板ばね２１を介在し、光源ユニット４を回動可能かつその回動角を保持可能に支持している。一方のピン１９の外端部には、その軸径よりも大径のつまみ１９ａが一体に形成されており、このつまみ１９ａの手動による回動操作により、板ばね２１の弾圧力を調整することにより、一対の開口端部３ａ，３ｂによる光源ユニット４の締付け力を適切に調整することができる。すなわち、つまみ１９ａの締付け力を調整することにより、光源ユニット４の回動角を容易に調整することができ、しかも、その回動角を保持することができるように板ばね２１の弾圧力を適宜調整することができる。
【００３１】
アーム３は、その一対の開口端部３ａ，３ｂの図中上端部同士を連結するクロスバー部３ｃの軸方向中間部に、図示しないハンガーに装着される金具３ｄを突設している。このハンガーがスタジオや舞台等のバトン等に取り付けられることにより、照明装置１がバトンに吊り下げられる。また、クロスバー部３ｃには、例えばバトン等に引掛けられる落下防止ロープ２２が締結される。
【００３２】
そして、図１，図５，図６に示すように投影ユニット５は、その投影ユニットケース１７の前端（図１，図５，図６では左端）の前板１７ｃに、投光用の円形等所要形状の開口１７ｄを形成している。この投影ユニットケース１７内には、図中左右一対のレンズ体支持部２３，２４、リンク機構２５およびガイド２６を収容している。
【００３３】
一対のレンズ体支持部２３，２４は、光源ユニット４からの光の光軸Ｏ方向の投光開口１７ｄ側と光源ユニット４側とで対向配置された一対のレンズ体２７，２８をそれぞれ支持する例えばアルミニウム等金属製の投光側レンズ体支持部２９と光源側レンズ体支持部３０を有する。
【００３４】
これら一対の支持部２９，３０は、一対のレンズ体２７，２８の側面外周のほぼ全周をそれぞれ支持するレンズ体支持本体２９ａ，３０ａと、ガイド２６の一例である上下左右４本のガイド棒２６ａ，２６ｂ，２６ｃ，２６ｄをそれぞれ摺動可能に貫通させて摺動可能に支持するガイド支持部２９ｂ，３０ｂとを有する。
【００３５】
図５に示すようにガイド支持部２９ｂ，３０ｂは、光軸Ｏを中心にして、その左右両側にそれぞれ配設され、レンズ体支持本体２９ａ，３０ａの図１中下端部の左右両側に一体または一体的にそれぞれ結合されている。
【００３６】
そして、これらガイド支持部２９ｂ，３０ｂは、図１中上下２段に配設された左右一対のガイド棒２６ａ，２６ｂ，２６ｃ，２６ｄをそれぞれ摺動可能に貫通させるスリーブ３１が取り付けられている。また、投光側レンズ体支持部２９は、各スリーブ３１の図５中右端側に、弾性を有する円管状の緩衝スリーブ３２をそれぞれ設け、図６に示すように光源側レンズ体支持部３０のほぼ垂直に立ち上がる図６中左右一対のストッパ板３３，３３に緩衝スリーブ３２が緩衝的に当接するようになっている。各ガイド棒２６ａ〜２６ｄは、その軸方向前端を投影ユニットケース１７の前板１７ｃの内面に固着し、その後端を同，後板１７ａの内面に固着している。
【００３７】
図５に示すようにリンク機構２５は、図中上下２本で一対の長尺板状体からなるリンク３４，３５を中間部で互いに交差するようにほぼＸ状に配設して構成されている。各リンク３４，３５は、第２のガイド溝３８よりも投光開口１７ｄ側（図５では左側）へ若干離れた位置において、支点用ピン３９，３９を投影ユニットケース１７の底面１７ｅに回動可能に取り付けており、これら支点用ピン３９，３９を支点としてリンク３４，３５が回動（揺動）されるようになっている。これらリンク３４，３５の前端部（図５では左端部）を投光側レンズ体支持部２９の光軸Ｏに対して直交する方向に沿う左右一対のガイド支持部２９ｂ，２９ｂに、摺動部であるピン３６により、それぞれ摺動可能に取り付けている。
【００３８】
また、リンク３４，３５は、その後端部（図５では右端部）をピン３６により、光源側レンズ体支持部３０の光軸Ｏに対して直交する方向にある左右一対のガイド支持部３０ｂ，３０ｂに摺動可能に取り付けている。
【００３９】
図５に示すように各リンク３４，３５は、その交差部よりも投光開口１７ｄ側と光源側とにおいて、曲線状の長孔よりなる第１，第２のガイド溝３７，３８をそれぞれ形成している。これら第１，第２のガイド溝３７，３８の曲線は、一対のレンズ体２７，２８同士の対向間隔（距離）が複数の所要の間隔にそれぞれ調節されたときに、これら複数の対向間隔において、投光開口１７ｄから外部へ投光される投光がそれぞれ所望の配光分布に形成される位置に変曲点が形成されており、これら複数の変曲点を連続的な曲線で形成されたガイド溝３７，３８でつなぐように構成されている。第１のガイド溝３７は第２のガイド溝３８よりも相当長く形成されている。すなわち、リンク機構２５は、各支点ピン３９，３９を支点として各リンク３４，３４が揺動することにより、伸縮可能に構成されている。つまり、リンク機構２５の伸長時は、光源側のレンズ体２８と投光側のレンズ体２７が互いに離間する方向に移動し、リンク機構２５の収縮時は、光源側のレンズ体２８と投光側のレンズ体２７が互いに近接する方向に移動する。このために、これら光源側のレンズ体２８と投光側のレンズ体２７の対向間隔（距離）を調節することができる。また、これら第１，第２のガイド溝３７，３８に摺動可能に係合する各ピン３６の各係合部外周には、図示省略したベアリングをそれぞれ同軸状に配設しており、摺動性の向上を図っている。
【００４０】
また図５に示すように、各リンク３４，３５は、その一側端部に、これらの交差部の近傍にて円弧状の切欠４０，４０をそれぞれ形成しており、図６に示すようにリンク機構２５が収縮したときに、支点用ピン３９，３９の突出上端部を切欠４０，４０内に進入させることにより、支点用ピン３９，３９の突出上端部がリンク３４，３５の側端部に衝当し干渉しないように図っている。
【００４１】
そして、投影ユニットケース１７の底面１７ｅには、光軸Ｏと一致するように所定大の直線状長孔よりなるスリット４１を形成している。このスリット４１には、投影ユニットケース底面１７ｅの内外を垂直方向に貫通してこのスリットの４１内側でその軸方向（長手方向）に摺動する操作軸４２の内端部を、投光側レンズ体支持部２９の幅方向中間部に突設した平面矩形の舌片４３に固着している。
【００４２】
操作軸４２は、ねじ棒よりなり、その一端部（図１では下端部）を、スリット４１を垂直方向に貫通させて底板１７ｅの外面に所要長突出させ、この突出外端部のねじ部に、図１で示すつまみ４４をねじ結合させ、このつまみ４４を中心軸回りに所定方向へ回動操作したときに、このつまみ４４をスリット４１の側縁部に締め付け固定する一方、このつまみ４４を逆方向に回動させることにより、その固定を解除して再びスリット４１の軸方向に移動可能にすることができる。
【００４３】
したがって、このつまみ４４をスリット４１に沿って、その前端（図１では左端）側へ手動により移動させると、投光側レンズ体支持部２９側では、その左右一対のガイド支持部２９ｂ，２９ｂの各ピン３６，３６が各リンク３４，３５の第１のガイド溝３７，３７内を摺動して、その前端（図５では左端）側へ移動する。
【００４４】
このとき、各ガイド支持部２９ｂ，２９ｂは、図１中下段の左右一対のガイド棒２６ｃ，２６ｄを摺動する。
【００４５】
一方、光源側レンズ体支持部３０では、その左右一対のガイド支持部３０ｂ，３０ｂの各ピン３６，３６が各リンク３４，３５の第２のガイド溝３８，３８内を摺動して、その後端（図５では右端）側へ摺動しながら移動する。このとき、各ガイド支持部３０ｂ，３０ｂは、図１中上段の左右一対のガイド棒２６ａ，２６ｂを摺動する。すなわち、図１に示すように左右一対のガイド棒２６ａ，２６ｂは上段に配設されて、光源側レンズ体支持部２４の左右一対のガイド支持部３０ｂ，３０ｂにより摺動可能に支持される。また、図１中、下段に配設された左右一対のガイド棒２６ｃ，２６ｄは投光側レンズ体支持部２３の左右一対のガイド支持部２９ｂ，２９ｂにより摺動可能に支持される。
【００４６】
これにより、図５に示すようにリンク機構２５が伸長し、光源側のレンズ体２８と投光開口１７ｄ側のレンズ体２７が互いに離間する方向に移動し、これら一対のレンズ体２８，２７の対向間隔が最大となる方向に調節される。この調節後、つまみ４４を締め付けることにより、その調節位置を固く保持することができる。
【００４７】
一方、図１で示すつまみ４４の締め付け力を緩めて調節位置の保持を解除してから、このつまみ４４をスリット４１に沿って、その後端（図１で右端）側へ移動させると、図６に示すようにリンク機構は２５が収縮し、一対のレンズ体２７，２８の対向間隔が最小に調節される。
【００４８】
すなわち、つまみ４４をスリット４１の後端側へ移動させると、図６に示すように上下一対のリンク３４，３５の軸方向両端が各支点ピン３９，３９を中心に揺動し、これら両リンク３４，３５が上下方向でほぼ折り重なるように移動し、一対のレンズ体２７，２８同士が互いに近接する方向に移動し、これら一対のレンズ体２８，２７の対向間隔が最小となる方向に調節される。
【００４９】
このリンク機構２５の収縮時においても、投光側レンズ体支持部２９側では、その左右一対のガイド支持部２９ｂ，２９ｂが図１中下段の左右一対のガイド棒２６ｃ，２６ｄ上を摺動する。また、光源側レンズ体支持部３０側では、その左右一対のガイド支持部３０ｂ，３０ｂが図１中上段の左右一対のガイド棒２６ａ，２６ｂ上を摺動する。
【００５０】
このために、一対のレンズ体２７，２８の対向間隔を最大から最小まで調節するときの各ガイド支持部２９ｂ，２９ｂ、３０ｂ，３０ｂの摺動をスムースに行なうことができる。このために、つまみ４４の移動に必要な操作力を軽減することができる。
【００５１】
また、対向配置された一対のレンズ体２７，２８をそれぞれ支持する一対のレンズ体支持部２９，３０は、その対向方向内側であって、光軸Ｏに対して直交する方向に沿う幅方向両端部に、２枚のリンク３４，３５の揺動端を、摺動部の一例であるピン３６により、それぞれ摺動可能に取り付けているので、これらレンズ体支持部２３，２４の幅方向両端部にほぼ均等に移動に有する応力を付加することができる。
【００５２】
このために、これら各レンズ体支持部２３，２４の幅方向両端部を貫通する左右一対のガイド棒２６ａと２６ｂ、２６ｃ，２６ｄをそれぞれ摺動する際の摺動性を向上させることができる。
【００５３】
したがって、レンズ体支持部２９，３０の幅方向一端部のみに移動に要する応力を付加する場合よりも、レンズ体支持部２９，３０の摺動性を向上させることができる。
【００５４】
また、リンク３４，３５の第１，第２ガイド溝３７，３８内を摺動する各ピン３６の摺動部には、ベアリングを設けているので、各ピン３６の摺動抵抗をさらに軽減することができる。
【００５５】
そして、これらリンク機構２５の伸長時と収縮時に、各ピン３６が摺動する第１，第２のガイド溝３７，３８は、一対のレンズ体２７，２８の複数の対向間隔について、それぞれ所望の配光特性を得ることができる複数の位置にそれぞれ対応する複数の変曲点を長手方向に連続的に形成した曲線状の長孔により形成されているので、これら変曲点をつまみ４４の操作軸４２が通過する毎に操作軸の移動を瞬間的に停止させようとする微少な反力がこのつまみ４４を操作している操作者に与えられるので、その移動を停止させるべき所望の位置をそれぞれ感得させ、停止させることができる。このために、一対のレンズ体２７，２８の種々の対向間隔を所望の配光特性が得られる位置に簡単迅速に調節することができる。
【００５６】
また、一対のレンズ体２７，２８の対向間隔を調節した後、つまみ４４を締め付けることにより、その調節位置を確実に保持することができる。このために、この照明装置１を高所のバトン等に取り付ける前に、低所で一対のレンズ体２７，２８の対向間隔を調節し、その調節位置をつまみ４４により保持した後に、高所のバトン等に取り付けることができる。その結果、従来のように照明装置を高所に配置した後、低所から長い操作棒により一対のレンズ体２７，２８の対向間隔等を調節するように操作する必要がない。このために、長い操作棒により光源ユニット４を誤って打撃して衝撃に弱いＬＥＤ等の破損が発生することを防止または低減できる。
【００５７】
そして、投影ユニットケース１７は、そのケース１７ａを、光源ユニットケース４ａとは、別体により構成して独立性を持たせているので、投影ユニットケース１７を光源ユニット４との取合いをほぼ考慮することなく、別個に構成することができる。このために、投影ユニットケース１７のみの小型軽量化を図ることができる。
【００５８】
なお、上記実施形態では光源ユニット４の光源がＬＥＤの場合について説明したが、本発明はこれに限定されるものではなく、ハロゲンランプでもよい。また、一対のレンズ体２７，２８も単数または複数のいずれでもよい。
【符号の説明】
【００５９】
１，１Ａ…照明装置、２…照明器具、４…光源ユニット、１７…投影ユニットケース、１７ａ…投影ユニットケースの後板、１７ｂ…投影ユニットケースの前板、１７ｃ…投影ユニットケースの投光用開口、２３，２４…一対のレンズ体支持部、２５…リンク機構、２６…ガイド、２６ａ，２６ｂ，２６ｃ，２６ｄ…４本のガイド棒、２７，２８…レンズ体、２９…投光側レンズ体支持部、２９ａ…レンズ体支持本体、２９ｂ…ガイド支持部、３０…光源側レンズ体支持部、３０ａ…レンズ体支持本体、３０ｂ…ガイド支持部、３２…緩衝スリーブ、３４，３５…リンク、３６…ピン、３７…第１のガイド溝、３８…第２のガイド溝、３９…支点用ピン、４０…切欠、４１…スリット、４２…操作軸、４３…舌片、４４…つまみ。
【図１】
2010287551.tif 000003
【図２】
2010287551.tif 000004
【図３】
2010287551.tif 000005
【図４】
2010287551.tif 000006
【図５】
2010287551.tif 000007
【図６】
2010287551.tif 000008